(57)【特許請求の範囲】
【請求項１】
空気調和装置の天井吊型室内機の内部に斜めに設置される熱交換器において、
熱交換器の上流側の面に付着したダストに所定量の水或いは温水を散布ノズルから散布してダストの塊にする散布工程、
前記散布工程の後に熱交換器の下流側から蒸気を蒸気ノズルから噴射して前記ダストの塊を熱交換器の表面から浮かす遊離工程、
該浮いたダストの塊を蒸気の圧力で上流側に戻す逆流工程、
さらに、該逆流工程で前記浮いたダストの塊を下流から上流に向かう蒸気及び空気の流れで逆流を防ぎつつ掻落手段によって下方に掻き落とす掻落工程とを、順次行うことを特徴とする空気調和装置の天井吊型室内機における熱交換器の洗浄方法。
【請求項２】
前記遊離工程と逆流工程と掻落工程とを繰り返し行うことを特徴とする請求項１に記載の空気調和装置の天井吊型室内機における熱交換器の洗浄方法。
【請求項３】
前記熱交換器の上流側面と下流側面の両面には、各面の位置を特定し座標作用を有する大きなマス目を有するネット又はテープを配置したことを特徴とする請求項１又は２に記載の空気調和装置の天井吊型室内機における熱交換器の洗浄方法。
【請求項４】
請求項１に記載の空気調和装置の天井吊型室内機における熱交換器の洗浄方法に用いる装置であって、水或いは温水を散布ノズルから散布する散布ポンプからなる散布装置と、噴射する水を加熱して蒸気にする加熱器と、該蒸気を加圧して蒸気ノズルから噴射する噴射ポンプからなる噴射装置とを一体としたことを特徴とする空気調和装置の天井吊型室内機における熱交換器の洗浄装置。
【発明の詳細な説明】
【技術分野】
【０００１】
本発明は、空気調和装置の天井吊型室内機における熱交換器の洗浄方法及びその装置であって、特に、天井吊型室内機の内部に斜めに固定的に設置される熱交換器の洗浄方法及びその装置に関する。
【背景技術】
【０００２】
従来の空気調和装置において、フィルターは定期的にダストを洗浄する必要があったが、熱交換器も埃が多い環境条件や空気調和装置の枠体の隙間等からダストが入り込みダストが付着することがある。
この場合にも定期的に熱交換器の洗浄する必要があるが、天井に据え付ける空気調和装置の天井吊型室内機においては、空気調和装置の天井吊型室内機の全体を薄くしなければならないので、空気調和装置の天井吊型室内機の内部の熱交換器も斜めに固定設置されて装置を薄くしており、この場合の洗浄・清掃は熱交換器を天井吊型室内機に固定したまま行うことが多い。
【０００３】
このため、通常、空気調和装置において、熱交換器を天井吊型室内機の内部から取り出して洗浄・清掃することができないので、特許文献１の図４に示されるように、熱交換器の上流から高速洗浄液を噴射して、熱交換器のダストを下流へ吹き飛ばし、ダストを洗浄液と共に熱交換器の下方のドレインパンに収集している。また、ダストの剥離や洗浄効果を促進させるために化学薬品を使用する場合もある。
【先行技術文献】
【特許文献】
【０００４】
【特許文献１】特開２００２−１４７７８３号公報
【発明の開示】
【発明が解決しようとする課題】
【０００５】
しかしながら、特許文献１の従来技術は、熱交換器の上流から高速洗浄液を噴射して、熱交換器のダストを下流へ吹き飛ばすので、ダストは重力の影響もあって、更に熱交換器のフィンの内部に入り込み、さらにダストが詰まってしまうという問題点があった。
また、化学薬品を使用する場合には、薬液による洗浄液が熱交換器のフィンに腐食しピンホールが発生することがあり、準備作業や作業後の清掃に手間がかかり、又、薬剤が含まれた洗浄液が飛散すると周辺を化学薬品で汚染することもあり、特に、化学薬品に敏感な児童が化学薬品を含む洗浄液は健康に悪影響を及ぼす虞もあるといった問題点があった。
本発明は、このような問題点に鑑みてなされたもので、空気調和装置の天井吊型室内機における、熱交換器の内部にダストが入り込まないように熱交換器の洗浄・清掃する洗浄方法及びその装置を提供するものであり、また、ダストが室内の空気中に飛散しないように、熱交換器の洗浄・清掃する洗浄方法及びその装置を提供するものである。
【課題を解決するための手段】
【０００６】
上記課題を解決するために、請求項１の発明は、空気調和装置の天井吊型室内機の内部に斜めに設置される熱交換器において、熱交換器の上流側の面に付着したダストに所定量の水或いは温水を散布ノズルから散布してダストの塊にする散布工程、前記散布工程の後に熱交換器の下流側から蒸気を蒸気ノズルから噴射して前記ダストの塊を熱交換器の表面から浮かす遊離工程、該浮いたダストの塊を蒸気の圧力で上流側に戻す逆流工程、さらに、該逆流工程で前記浮いたダストの塊を下流から上流に向かう蒸気及び空気の流れで逆流を防ぎつつ掻落手段によって下方に掻き落とす掻落工程とを、順次行うことを特徴とする空気調和装置の天井吊型室内機における熱交換器の洗浄方法である。
請求項２の発明は、請求項１に記載の空気調和装置の天井吊型室内機における熱交換器の洗浄方法において、前記遊離工程と逆流工程と掻落工程とを繰り返し行うことを特徴とする。
請求項３の発明は、請求項１又は２に記載の空気調和装置の天井吊型室内機における熱交換器の洗浄方法において、前記熱交換器の上流側面と下流側面の両面には、各面の位置を特定し座標作用を有する大きなマス目を有するネット又はテープを配置したことを特徴とする。
請求項４の発明は、請求項１に記載の空気調和装置の天井吊型室内機における熱交換器の洗浄方法に用いる装置であって、水或いは温水を散布ノズルから散布する散布ポンプからなる散布装置と、噴射する水を加熱して蒸気にする加熱器と、該蒸気を加圧して蒸気ノズルから噴射する噴射ポンプからなる噴射装置とを一体としたことを特徴とする空気調和装置の天井吊型室内機における熱交換器の洗浄装置である。
【発明の効果】
【０００７】
請求項１の空気調和装置の天井吊型室内機における熱交換器の洗浄方法によれば、下流側から蒸気を噴射して前記ダストの塊を熱交換器から浮かし、浮いたダストの塊を蒸気の圧力で上流に戻し、浮いたダストの塊を下流から上流に向かう蒸気及び空気の流れで逆流を防ぎつつ掻落手段によって下方に掻き落とすので、熱交換器の内部にダストが入り込まないように熱交換器の洗浄・清掃することができる。
また、先ず熱交換器の上流側の面に付着したダストに所定量の水或いは温水を散布してダストの塊にするので、ダストが室内の空気中に飛散しないように、熱交換器の洗浄・清掃することができる。
請求項２の空気調和装置の天井吊型室内機における熱交換器の洗浄方法によれば、熱交換器の内部のダストをより完全に除去することができる。
【０００８】
請求項３の空気調和装置の天井吊型室内機における熱交換器の洗浄方法によれば、ダストに所定量の水或いは温水を散布してダストの塊にする散布工程で、散布ノズルを大きな水平と垂直のマス目のネット又はテープに沿って移動すれば、熱交換器の全面をくまなく吹き付け隈無く水或いは温水を散布することができる。また、蒸気の噴射ノズルの移動も同様に前面を熱交換器の全面をくまなく吹き付け隈無く水或いは温水を散布することができる。
更に、前記熱交換器の上流側面と下流側面の両面には、各面の位置を特定する座標作用を有する大きなマス目を有するネット又はテープを配置したので、両者の面の相互位置が認識できるので、掻落工程が完了していない部分を再度下流側から蒸気を噴射して、前記遊離工程と逆流工程と掻落工程とを繰り返し、かつと逆流工程と掻落工程とを同時に行うことが容易となる。
【０００９】
また、請求項４の空気調和装置の天井吊型室内機における熱交換器の洗浄装置によれば、上記請求項１に記載の熱交換器の洗浄方法の実施に際し、水或いは温水を散布ノズルから散布する散布ポンプからなる散布装置と蒸気を蒸気ノズルから噴射する加熱器と噴射ポンプから噴射装置とを一体としたので、使用する電源を共通にし、散布や噴射に使用する水を共通にすることができ、結果として洗浄・清掃の準備が簡単になり、効率よく洗浄・清掃をすることができる。
【図面の簡単な説明】
【００１０】
【図１】本発明の実施例１の熱交換器の洗浄方法に使用する空気調和装置の天井吊型室内機、及び洗浄方法を手順を説明する天井吊型室内機の断面図、
【図２】本発明の空気調和装置の天井吊型室内機の熱交換器の洗浄方法に使用するネットの図、
【図３】本発明の実施例２の熱交換器の洗浄方法に使用する空気調和装置の天井吊型室内機の洗浄方法に用いる洗浄装置の概略図である。
【発明を実施するための形態】
【００１１】
本発明の空気調和装置の天井吊型室内機における熱交換器の洗浄方法及びその装置を図面を参照して説明する。
【実施例１】
【００１２】
図１において、実施例１の空気調和装置の天井吊型室内機１の本体ケーシング２は、天井Ｆに吊られた扁平の薄型で、一方の端(図１で左端)には室内空気ＲＡを吸い込む口の吸引グリル２１が設けられ、この吸引グリル２１にはフィルター３１が設けられ、ダストＤをフィルター３１で捕捉し、フィルター３１を介してファン室２２が設けられている。
このファン室２２は仕切壁２３で気密に構成され、その中心部にファン３２が配置さ、天井吊型室内機１の内部に斜めに熱交換器４が固定配置されている。そして、ファン吸込口３２１から室内空気ＲＡを吸い込んで、ファン吐出口３２２から送風し熱交換器(コイル)５に送り込み、この熱交換器４からフラップ２４を介して、空調空気を給気ＳＡする。
【００１３】
本体ケーシング２の熱交換器４の下方には、空気調和装置１の補修や保守をするための下側に開閉可能な開閉扉２６a,２６bが配備されている。
このような構成であるので、室内空気ＲＡは、室内機１の吸引グリル２１からフィルター３１を介してファン３２で吸い込まれ、ファン３２から熱交換器４に室内空気ＲＡを送り込み、空気調和して空気調和装置１のフラップ２４を介して空調空気の吹出口２８から室内に空調空気を給気ＳＡする。
【００１４】
次に、熱交換器４の洗浄・清掃について説明する。
熱交換器４の洗浄・清掃では、先ず、洗浄・清掃の準備として、本体ケーシングの底面部２５にある修理・保守用の開閉扉２６ａ、２６ｂを開き、保守用開口２７ａ、２７ｂを開口し、その真下位置にダストＤを受け取るダスト収納容器２９を配置する。もっとも、このダスト収納容器２９は床一面にビニール等で養生した場合には必要はない。次いで、熱交換器４の上流側面と両面には水平方向と垂直方向に、図２に示すように、フィラメントを張った大きなマス目を有するネット５(５a,b)を配置する。なお、フィラメントは細幅の粘着テープ等でも良い。このネット５(５a,b)又はテープ(図示せず)は後述するように、洗浄・清掃をしない箇所があった場合に、各面の位置を特定する座標作用を有するもので、図２に示すように、例えば、Ｘ３、Ｙ１であれば最上段の中央の範囲(斜線部分)であり、かつ直角定規のような役目をし、マークをするためのものであるので、熱交換器４の空気通過面の面積が小さい時等は必ずしも必要がない。
【００１５】
このように洗浄・清掃の準備が終わった後に、次のステップ(工程順序)を順次行う洗浄・清掃を行う。
ステップ１：、熱交換器４の上流側の保守用開口２７ａから水又は温水を散水する散布装置７の散布ノズル７１を挿入して、熱交換器４のダストＤが付着した上流側の面を配置したネット５aに沿って上部から、ダストＤが飛散せず塊を維持する程度の所定量を、散布漏れがないように隈無く散布ノズル７１から散布する。こうして、ダストＤを湿らせケーキ状にダストＤの塊を熱交換器４の上流側の面に作成する。これが、所定量の水或いは温水を散布ノズルから散布してダストの塊にする散布工程である。
【００１６】
ステップ２：次に、熱交換器４の下流側の保守用開口２７ｂに蒸気(１００〜１５０℃)を噴射する蒸気噴射装置８の蒸気噴射ノズル８１を挿入して、熱交換器４の稼働時の室内機１での空気の流れとは逆の方向、すなわち熱交換器４の下流側から噴射箇所の漏れがないように蒸気を隈無く蒸気噴射ノズル８１から噴射する。熱交換器４のダストＤを上流側に押し出すように下流側の面に配置したネット５ｂに沿って上部から隈無く蒸気噴射ノズル８１から噴射する。
こうして、化学薬品を使用することを無くし、熱交換器４のコイルやフィンに付着しているダストＤを蒸気でコイルやフィンから遊離或いは浮遊させる。これが、熱交換器の下流側から蒸気を蒸気ノズルから噴射して前記ダストの塊を熱交換器から浮かす遊離工程である.
【００１７】
ステップ３：前ステップ２でダストの塊を熱交換器から浮かせた後も、浮いたダストの塊を蒸気の圧力で上流側に戻すことを継続する。これが逆流工程である。
ステップ４：さらに、浮いたダストの塊を下流から上流に向かう蒸気及び空気の流れで逆流を防ぐ逆流工程を継続しつつ、熱交換器４のコイルやフィンから遊離した、塊状のダストＤをブラシ等の掻落手段によって、ネット５ａに沿って保守用開口２７aの下方のダスト収納容器２９に掻き落とす。これが熱交換器４面のダストＤを掻き落とす掻落工程である。
なお、掻落手段に使用する掻出具９としてブラシを用いたが、より効果的にはブラシの先端は鈎型の「かえし」を設けておけば良い。勿論、効果的にダストＤを熱交換器４の内部に落とさないように掻き出せるものであれば、ブラシ以外の熊手のような掻出具でもよい。
ここで、熱交換器４にダストＤが完全に除去されていれば、ネット５を取り除き、開閉扉２６a,２６bを閉めて作業は終了する。
【００１８】
ステップ５：一応、ステップ１から４で洗浄・清掃は終わるが、目視で熱交換器４にダストＤが取り除かれていない箇所があれば、ステップ１からステップ４を繰り返すことになる。この際、部分的なダストＤの除去となるので、ステップ１とステップ２での作業箇所が面対象として同じ箇所である必要があるが、前記の大きなマス目を有するネット５(粘着テープ)は、洗浄・清掃をしない箇所があった場合に、その所定箇所の位置を特定する座標、或いは距離測定の直角定規のような役目をし、熱交換器の上流側面と下流側面の両面の相互位置が認識できるので、掻落工程までが完了しておらず、ダストＤが残っている部分（例えば、図２での斜線部分）を再度下流側から蒸気を噴射する遊離工程を行い、その後、その部分(図２での斜線部分)で逆流工程と掻落工程と行うことで遊離工程・逆流工程・掻落工程を繰り返し行うことが容易となる。ダストＤが残っている部分が他にもあれば、必要に応じてこのステップ５を繰り返せばよい。
勿論、このステップ５は、ステップ１から４で洗浄・清掃が完全であれば、行う必要はない。
【００１９】
ステップ６：捕捉であるが、熱交換器４の洗浄・清掃をしても、ファン３２も一緒に清掃しないと、熱交換器４にファン３２からのダストＤが付着し直ぐに詰まるので、熱交換器４の洗浄・清掃の際には、ファン３２の洗浄・清掃を行っておいたほうが良い。
【００２０】
以上のように、本発明の実施例１の空気調和装置の天井吊型室内機における熱交換器の洗浄方法によれば、下流側から蒸気を噴射して前記ダストの塊を熱交換器から浮かし、浮いたダストの塊を掻落手段によって下方に掻き落とすので、従来のような、ダストは重力の影響もあって、更に熱交換器のフィンの内部に入り込み、さらにダストが詰まってしまうという問題点を解消し、熱交換器の内部にダストが入り込まないように熱交換器の洗浄・清掃することができる。また、先ず熱交換器の上流側の面に付着したダストに所定量の水或いは温水を散布してダストの塊にするので、ダストが室内の空気中に飛散させないで、より完全に熱交換器の洗浄・清掃することができる。
【００２１】
さらに、下流からの蒸気の噴射により、熱交換器のダストを上流へと吹き飛ばすので、従来のように化学薬品を使用する場合の薬液による洗浄液が熱交換器のフィンに腐食するピンホールの発生を防げ、準備作業や作業後の清掃に手間は簡略になり、薬剤が含まれた洗浄液が飛散して周辺を汚染することもなく、特に、化学薬品に敏感な児童が化学薬品を含む洗浄液は健康に悪影響を及ぼすことから、蒸気や水だけであるので安全である。
【００２２】
また、散布工程及び蒸気噴射工程で、熱交換器の上流又は下流に直角定規の機能を有する大きな水平と垂直のマス目のネット又はテープを配置したので、このマス目に沿って移動すれば、熱交換器の全面をくまなく吹き付け隈無く水或いは温水を散布することや、蒸気の噴射を熱交換器の全面を隈無く行うことができる。
更に、熱交換器の上流側面と下流側面の両面には、両者の面の相互位置が認識できるので、掻落工程が完了していない部分を再度下流側から蒸気を噴射して、前記遊離工程と掻落工程は繰り返し行うことが容易となる。
【実施例２】
【００２３】
実施例１の空気調和装置の天井吊型室内機における熱交換器４の洗浄方法は、手動であるので散布装置７と噴射装置８は別々であるが、実施例２は、図３に示すように、水或いは温水を散布ノズル７１から散布する散布ポンプ７２からなる散布装置７と、蒸気を蒸気噴射ノズル８１から噴射する水を加熱して蒸気する加熱器８２と蒸気を加圧する噴射ポンプ８３からなる噴射装置８とを一体とした熱交換機４の洗浄・清掃装置６であり、散布ノズル７１はホース７３で散布ポンプ７２に繋がれ、同様に、蒸気噴射ノズル８１もホース８４で噴射ポンプ８３につながっている。洗浄・清掃装置６は、水槽６１が設けられ、電源が必要な散布ポンプ７２や噴射ポンプ８３及び加熱器８２が一体的に設けられ、これらはキャスター６３が設けられた移動可能な枠体６２に載置されている。
したがって、この実施例２では、実施例１の作用・効果に加えて、実施例１の熱交換器４の洗浄方法を実施するに際して、散布装置７と噴射装置８とを一体としたので、使用する電源を共通にし、散布や噴射に使用する水を共用の水槽６１から供給でき、熱交換機４の両面に対して散布ノズル７１と蒸気噴射ノズル８１を、それぞれ素早く配置して作業を行うことができ、結果として洗浄・清掃の準備が簡単になり、清浄作業も効率よく洗浄・清掃をすることができる。
なお、本発明の特徴を損なうものでなければ、上記の各実施例に限定されるものでないことは勿論である。
【符号の説明】
【００２４】
１・・(空気調和装置の)室内機、２・・本体ケーシング、
２１・・吸引グリル、２２・・ファン室、２３・・仕切壁、２４・・フラップ、
２５・・底面部、２６a,２６b・・開閉扉、２７a,２７ｂ・・保守用開口、
２８・・吹出口、２９・・ダスト収納容器、
３１・・フィルター、
３２・・ファン、３２１・・ファン吸込口、３２２・・ファン吐出口、
４・・熱交換器、
５,５a,５ｂ・・ネット(粘着テープ）、
６・・洗浄・清掃装置、６１・・水槽、６２・・枠体、６３・・キャスター、
７・・散布装置、７１・・散布ノズル、７２・・散布ポンプ、７３・・ホース、
８・・蒸気噴射装置、８１・・蒸気噴射ノズル、８２・・加熱器、
８３・・噴射ポンプ、８４・・ホース
９・・掻出具(ブラシ)
【図１】
0005916454.tif 000002
【図２】
0005916454.tif 000003
【図３】
0005916454.tif 000004